(57)【要約】【課題】精度良く血液中の成分を分析できる生体情報取得装置を提供する。【解決手段】生体情報取得装置１は指３が設置される設置面４に凹部５を有する測定台２と、凹部５に設置され指３に光２６を投光する投光部２４と、凹部５に設置され投光部２４が投光した近赤外光が反射した光２６を受光する受光部２５と、凹部５における気圧を下げる減圧装置と、を備える。【選択図】図３
2016198415.tif 000002
【特許請求の範囲】
【請求項１】
被測定物が設置される設置面に凹部を有する測定台と、
前記凹部に設置され前記被測定物に近赤外光を投光する投光部と、
前記凹部に設置され前記投光部が投光した近赤外光が反射した近赤外光を受光する受光部と、
前記凹部における気体の成分を制御する気体制御部と、を備えることを特徴とする生体情報取得装置。
【請求項２】
請求項１に記載の生体情報取得装置であって、
前記気体制御部は前記凹部の気圧を減圧する減圧部を含むことを特徴とする生体情報取得装置。
【請求項３】
請求項１または２に記載の生体情報取得装置であって、
前記気体制御部は前記凹部に近赤外光を吸収し難い気体を流入する気体流入部を含むことを特徴とする生体情報取得装置。
【請求項４】
請求項３に記載の生体情報取得装置であって、
前記気体の露点は−７０℃以上−５０℃以下であることを特徴とする生体情報取得装置。
【請求項５】
請求項３に記載の生体情報取得装置であって、
前記気体に含まれる炭酸ガスの濃度が０．１体積ｐｐｍ以上１０体積ｐｐｍ以下であることを特徴とする生体情報取得装置。
【請求項６】
請求項１〜５のいずれか一項に記載の生体情報取得装置であって、
前記凹部は第１凹部及び第２凹部を有し、
前記第１凹部に前記投光部が設置され、
前記第２凹部に前記受光部が設置されていることを特徴とする生体情報取得装置。
【請求項７】
請求項１〜６のいずれか一項に記載の生体情報取得装置であって、
前記被測定物が前記設置面に設置されたか否かを検出する検出部を備え、
前記検出部が前記設置面に前記被測定物が設置されたことを検出したときに前記気体制御部が前記気体の成分を制御することを特徴とする生体情報取得装置。
【請求項８】
凹部を有する測定台の前記凹部を密閉するように被測定物を設置し、
前記凹部内を減圧し、
前記凹部から前記被測定物に近赤外光を照射し、
前記被測定物にて反射した近赤外光を分光分析することを特徴とする生体情報取得方法。
【請求項９】
請求項８に記載の生体情報取得方法であって、
前記被測定物に近赤外光を照射する前に行われ、凹部に近赤外光を吸収し難い気体を流入することを特徴とする生体情報取得方法。
【発明の詳細な説明】
【技術分野】
【０００１】
本発明は、生体情報取得装置および生体情報取得方法に関するものである。
【背景技術】
【０００２】
近赤外光や赤外光を用いて人体の血糖値等の血液成分を取得する方法が検討されている。そして、近赤外光を用いて血糖値を取得する生体情報取得装置が特許文献１に開示されている。それによると、生体情報取得装置は人の指先に近赤外光を照射する。指先には毛細血管が多く存在する。そして、生体情報取得装置は指先で反射した光を分光分析する。
【０００３】
血液中にはグルコースが含まれている。そして、グルコースでは各波長における光を吸収する吸光度が固有の分布を有している。従って、吸光度の高い波長の変化を分析することにより血液中のグルコース濃度を検出することができる。特許文献１の生体情報取得装置では測定治具に指を載せて測定を行う。測定治具には凹部が設置され、凹部には２本の光ファイバーが設置されている。光ファイバーの１本は光源に接続され、光ファイバーから近赤外光を指先に照射する。他方の光ファイバーは分光分析装置に接続され反射光の吸光度を分析していた。
【先行技術文献】
【特許文献】
【０００４】
【特許文献１】特開２０１２−１９１９６９号公報
【発明の概要】
【発明が解決しようとする課題】
【０００５】
特許文献１の生体情報取得装置では測定治具に凹部が設置されている。指先には汗や水分が付着しており、凹部内の空気中に水分が拡散する。さらに、空気中には炭酸ガスが含まれている。そして、凹部内を近赤外光や赤外光が通過するときに、光の一部は空気中の水分や炭酸ガスに吸収される。そして、空気中の水分や炭酸ガスは測定毎に変動する。この為、指先で反射した光を分光分析装置が分析するとき、分析した値が変動する。そこで、凹部内を通過した光を分析しても精度良く血液中の成分を分析できる生体情報取得装置が望まれていた。
【課題を解決するための手段】
【０００６】
本発明は、上述の課題を解決するためになされたものであり、以下の形態または適用例として実現することが可能である。
【０００７】
［適用例１］
本適用例にかかる生体情報取得装置であって、被測定物が設置される設置面に凹部を有する測定台と、前記凹部に設置され前記被測定物に近赤外光を投光する投光部と、前記凹部に設置され前記投光部が投光した近赤外光が反射した近赤外光を受光する受光部と、前記凹部における気体の成分を制御する気体制御部と、を備えることを特徴とする。
【０００８】
本適用例によれば、生体情報取得装置は測定台を備え、測定台は設置面を有している。設置面には被測定物が設置される。設置面には凹部が設置され、凹部には投光部及び受光部が設置されている。投光部は被測定物に近赤外光を投光する。近赤外光は被測定物内を照射し、被測定物内で反射する。反射した近赤外光の一部を受光部が受光する。
【０００９】
被測定物は表面近くに毛細血管を有し、毛細血管を流れる血液が照射された近赤外光の一部を吸収する。受光部が受光した近赤外光は血液に吸収されなかった近赤外光である。血液が吸収する近赤外光の波長は血液の成分と対応し、吸収する近赤外光の強度は血液成分濃度と相関がある。従って、受光した近赤外光を分析することにより被測定物の血液情報を得ることができる。
【００１０】
投光部と被測定物との間には気体が存在し、受光部と被測定物との間にも気体が存在する。この気体が近赤外光を吸収するとき、血液情報の検出値に誤差が生ずる。本生体情報取得装置では気体制御部が凹部における気体の成分を制御する為、精度良く被測定物の血液情報を検出することができる。
【００１１】
［適用例２］
上記適用例にかかる生体情報取得装置において、前記気体制御部は前記凹部の気圧を減圧する減圧部を含むことを特徴とする。
【００１２】
本適用例によれば、気体制御部は減圧部を含み、減圧部は凹部の気圧を減圧する。これにより、被測定物表面の発汗成分が気化し除去される。さらに、凹部内の水蒸気や炭酸ガスが除去される。これにより、水蒸気や炭酸ガスによる近赤外光の吸収が抑制される為、精度良く被測定物の血液情報を得ることができる。
【００１３】
［適用例３］
上記適用例にかかる生体情報取得装置において、前記気体制御部は前記凹部に近赤外光を吸収し難い気体を流入する気体流入部を含むことを特徴とする。
【００１４】
本適用例によれば、気体制御部は気体流入部を含み、気体流入部は凹部に気体を流入する。これにより、凹部内を近赤外光を吸収し難い気体で満たすことができる。従って、凹部を通過するとき特定の波長の近赤外光が減衰することを抑制することができる。
【００１５】
［適用例４］
上記適用例にかかる生体情報取得装置において、前記気体の露点は−７０℃以上−５０℃以下であることを特徴とする。
【００１６】
本適用例によれば、気体流入部が凹部に流入させる気体の露点は−７０℃以上−５０℃以下である。露点が−７０℃以上の気体は製造しやすく容易に入手することができる。露点が−５０℃以下の気体は水蒸気が凝結することを抑制することができる。従って、気体中の水蒸気が水滴になって近赤外光を吸収することを抑制することができる。
【００１７】
［適用例５］
上記適用例にかかる生体情報取得装置において、前記気体に含まれる炭酸ガスの濃度が０．１体積ｐｐｍ以上１０体積ｐｐｍ以下であることを特徴とする。
【００１８】
本適用例によれば、気体流入部が凹部に流入させる気体に含まれる炭酸ガスの濃度が０．１体積ｐｐｍ以上である。炭酸ガスの濃度が０．１体積ｐｐｍ以上の気体は容易に製造することができるので、入手し易い気体を用いることができる。気体流入部が凹部に流入させる気体に含まれる炭酸ガスの濃度が１０体積ｐｐｍ以下である。従って、気体に含まれる炭酸ガスにより近赤外光が吸収されることを抑制することができる。
【００１９】
［適用例６］
上記適用例にかかる生体情報取得装置において、前記凹部は第１凹部及び第２凹部を有し、前記第１凹部に前記投光部が設置され、前記第２凹部に前記受光部が設置されていることを特徴とする。
【００２０】
本適用例によれば、凹部は第１凹部及び第２凹部を有している。そして、第１凹部に投光部が設置され、第２凹部に受光部が設置されている。このとき、第１凹部と第２凹部とが分かれているので、投光部と受光部とを離して設置することができる。これにより、生体情報取得装置は被測定物の深い場所を検出することができる。そして、第１凹部と第２凹部とが分離していないときに比べて、凹部の体積を小さくできる。従って、気体制御部が気体の成分を制御するとき凹部内体積が小さいので短時間で制御することができる。
【００２１】
［適用例７］
上記適用例にかかる生体情報取得装置において、前記被測定物が前記設置面に設置されたか否かを検出する検出部を備え、前記検出部が前記設置面に前記被測定物が設置されたことを検出したときに前記気体制御部が前記気体の成分を制御することを特徴とする。
【００２２】
本適用例によれば、生体情報取得装置は検出部を備え、検出部は被測定物が設置面に設置されたか否かを検出する。そして、検出部が設置面に被測定物が設置されたことを検出したときに気体制御部が気体の成分を制御する。検出部がないとき、操作者は被測定物が設置面に設置されたか否かを検出する。そして、設置面に被測定物が設置されたときには、操作者が気体制御部に気体の成分を制御する指示を行う。本適用例では操作者が介在せずに気体制御部が気体の制御を開始する為、生産性良く生体情報の取得を行うことができる。
【００２３】
［適用例８］
本適用例にかかる生体情報取得方法であって、凹部を有する測定台の前記凹部を密閉するように被測定物を設置し、前記凹部内を減圧し、前記凹部から前記被測定物に近赤外光を照射し、前記被測定物にて反射した近赤外光を分光分析することを特徴とする。
【００２４】
本適用例によれば、測定台は凹部を有し、凹部を密閉するように被測定物が設置される。そして、凹部が減圧される。凹部から被測定物に近赤外光が投光される。近赤外光は被測定物内を照射し、被測定物内で反射する。反射した近赤外光は分光分析される。
【００２５】
被測定物は表面近くに毛細血管を有し、毛細血管を流れる血液が照射された近赤外光の一部を吸収する。受光部が受光した近赤外光は血液に吸収されなかった近赤外光である。血液が吸収する近赤外光の波長は血液の成分と対応し、吸収する近赤外光の強度は血液成分濃度と相関がある。従って、受光した近赤外光を分析することにより被測定物の血液情報を得ることができる。
【００２６】
凹部では投光部と被測定物との間には気体が存在し、受光部と被測定物との間にも気体が存在する。この気体が近赤外光を吸収するとき、血液情報の検出値に誤差が生ずる。本生体情報取得装置では気体制御部が凹部における気体の成分を制御する為、凹部内の気体が近赤外光を吸収することを抑制することができる。その結果、近赤外光を用いて精度良く被測定物の血液情報を検出することができる。
【００２７】
［適用例９］
上記適用例にかかる生体情報取得方法において、前記被測定物に近赤外光を照射する前に行われ、凹部に近赤外光を吸収し難い気体を流入することを特徴とする。
【００２８】
本適用例によれば、凹部内を近赤外光を吸収し難い気体で満たすことができる。従って、凹部を通過するとき特定の波長の近赤外光が減衰することを抑制することができる。
【図面の簡単な説明】
【００２９】
【図１】生体情報取得装置の構成を示すブロック図。
【図２】（ａ）は測定台の構造を示す概略斜視図、（ｂ）は測定台の構造を示す模式平面図。
【図３】（ａ）は測定台の構造を示す模式側断面図、（ｂ）は測定するときの指の状態を説明するための模式側断面図。
【図４】生体情報取得方法のフローチャート。
【図５】測定台の構造を示す模式側断面図。
【図６】生体情報取得装置の構成を示すブロック図。
【図７】測定台の構造を示す模式側断面図。
【図８】生体情報取得方法のフローチャート。
【図９】測定台の構造を示す模式側断面図。
【図１０】（ａ）〜（ｃ）は、測定台の構造を示す模式側断面図、（ｄ）は、測定台の構造を示す模式平面図。
【発明を実施するための形態】
【００３０】
本実施形態では、測定台に指を設置して計測する生体情報取得装置と、この生体情報取得装置を用いて非侵襲的に血糖値を測定する生体情報を取得する方法との特徴的な例について、図に従って説明する。以下、実施形態について図面に従って説明する。尚、各図面における各部材は、各図面上で認識可能な程度の大きさとするため、各部材毎に縮尺を異ならせて図示している。
【００３１】
（第１の実施形態）
第１の実施形態にかかわる生体情報取得装置について図１〜図３に従って説明する。図１は、生体情報取得装置の構成を示すブロック図である。図１に示すように、生体情報取得装置１は測定台２を備えている。測定台２の表面には人体の被測定物としての指３の形状に設置面４が形成されている。そして、指３が設置面４に設置される。指３の長手方向をＸ方向とし、指３の爪が向く方向をＺ方向とする。指３の幅方向をＹ方向とする。Ｘ方向、Ｙ方向、Ｚ方向はそれぞれ直交する方向である。
【００３２】
設置面４には指３の爪と対向する場所に凹部５が設置されている。測定台２には凹部５と連通する第１孔６、第２孔７及び第３孔８が設置されている。第１孔６には第１光ファイバー９が設置されている。第１光ファイバー９は光源部１０と接続されている。光源部１０にはハロゲン光源が内蔵されている。そして、光源部１０は近赤外光を含む光を発光する。第２孔７には第２光ファイバー１１が設置されている。第２光ファイバー１１は制御装置１２内の分光光度計部１３に接続されている。
【００３３】
分光光度計部１３は分光器及びフォトダイオードを備えている。分光器は回折格子、凹面鏡、スリットを組み合わせて構成されている。第２光ファイバー１１により導かれた光は回折格子に照射される。光は回折格子を通過することにより波長に応じた角度で進行方向が曲げられる。つまり、波長に応じて分光される。分光した光は凹面鏡を照射する。凹面鏡にて反射した光はスリットを照射する。凹面鏡にはモーターが設置され、モーターは凹面鏡を回転させる。そして、所定の波長の光がスリットを通過するように凹面鏡の回転角度が調整される。スリットを通過した光はフォトダイオードにより電気信号に変換される。これにより、分光光度計部１３は所定の波長の光強度を測定することができる。分光光度計部１３はＡＤ（アナログ／デジタル）変換回路を備え、光スペクトルの測定結果をデジタルデータにして出力する。
【００３４】
制御装置１２には他にもインターフェイス部１４、記憶部１５及び演算部１６を備えている。インターフェイス部１４には光源部１０の他にも入力部１７、表示部１８、気体制御部及び減圧部としての減圧装置２１及び検出部としての指検出スイッチ２２が接続されている。入力部１７はキーボード、マウスポインター等であり、操作者が制御装置１２に指示情報を入力する装置である。表示部１８は液晶ディスプレイ等の表示装置であり、生体情報取得装置１が計測した結果や計測状況を操作者に知らせる装置である。
【００３５】
減圧装置２１は配管２３を介して第３孔８に接続されている。減圧装置２１は凹部５及び指３により密閉された空間内の気体を吸引して減圧する装置である。減圧装置２１は真空ポンプ２１ａ、タンク２１ｂ及び真空ポンプ２１ａを駆動する駆動回路２１ｃを備えている。駆動回路２１ｃは制御装置１２の指示信号を受けて真空ポンプ２１ａの駆動と停止との制御を行う。タンク２１ｂには内部の気圧を検出する圧力センサーが設置されている。駆動回路２１ｃは圧力センサーの出力を入力して、タンク２１ｂの内部の気圧が目標とする圧力になるように制御する回路である。そして、駆動回路２１ｃはタンク２１ｂの内部の気圧を制御装置１２が指示する圧力にする。
【００３６】
タンク２１ｂは電磁弁２１ｄと接続され電磁弁２１ｄは圧力調整弁２１ｅと接続されている。そして、圧力調整弁２１ｅは配管２３と接続されている。電磁弁２１ｄは制御装置１２と接続され、制御装置１２の指示信号を受けて弁を開閉する。これにより配管２３内の流れが制御される。圧力調整弁２１ｅは制御装置１２と接続され、制御装置１２の指示信号を受けて配管２３内の圧力を制御する。これにより、凹部５及び指３により密閉された空間内の気体の気圧が制御される。
【００３７】
指検出スイッチ２２は指３が設置面４に設置されているか否かを検出するスイッチである。スイッチの種類は特に限定されない。本実施形態では、例えば、指３が指検出スイッチ２２を押圧するとき接点が短絡し、指３が設置面４から離れるとき接点が離れる形式のスイッチを用いている。指検出スイッチ２２は配線により制御装置１２に接続されている。そして、指３が設置面４に設置されているか否かの状態を制御装置１２に出力する。
【００３８】
記憶部１５には光源部１０が出力する光スペクトルのデータ、分光光度計部１３が検出した光の強度と指３内を流動する血液の血糖値との関係を示すデータが記憶されている。他にも、記憶部１５にはタンク２１ｂ内の気圧目標のデータ及び圧力調整弁２１ｅが調整する気圧のデータが記憶されている。他にも、記憶部１５には生体情報取得装置１の動作の制御手順が記述されたプログラムソフト等が記憶されている。
【００３９】
演算部１６はＣＰＵ等により構成されプログラムソフトにより光源部１０の制御を行う。他にも、演算部１６は凹部５及び指３により密閉された空間内の気圧の制御を行う。他にも、演算部１６は分光光度計部１３が検出する光スペクトルのデータと記憶部１５に記憶されたデータを用いて血糖値の演算を行う。分光光度計部１３、記憶部１５及び演算部１６等により分析部が構成されている。
【００４０】
図２（ａ）は測定台の構造を示す概略斜視図である。図２（ａ）に示すように、測定台２は設置面４を備え、設置面４は第１面４ａと第１面４ａに交差する第２面４ｂとから構成されている。第１面４ａはＸ方向に延びる仮想線を中心とする円弧状の面がＸ方向に延びている。第１面４ａはＸ方向と直交する断面が円弧状になっている。同様に、第２面４ｂはＸ方向と交差する方向に延びる仮想線を中心とする円弧状の面が延びている。第２面４ｂはＸ方向と交差する方向に対して直交する断面が円弧状になっている。人体の指３の表面も円弧状であることから指３を第１面４ａ及び第２面４ｂに接触させる面積を広くすることができる。その結果、生体の指を設置面４に合うように設置し易くすることができる。
【００４１】
第１面４ａと第２面４ｂとは交差し、第１面４ａと第２面４ｂとに渡って凹部５が設置されている。凹部５の−Ｘ方向側には第１孔６が設置されている。そして、第１孔６に第１光ファイバー９の一端が設置されて投光部２４となっている。凹部５の第１面４ａ側には第２孔７が設置されている。そして、第２孔７に第２光ファイバー１１の一端が設置されて受光部２５となっている。投光部２４は＋Ｘ方向に投光し、受光部２５は投光部２４が投光した光が乱反射した光を受光する。投光部２４と受光部２５との間には吸引口８ａが設置され、吸引口８ａは第３孔８と接続する。第３孔８は配管２３を介して減圧装置２１と接続されているので、吸引口８ａから空気が吸引される。第１面４ａには指検出スイッチ２２の一部が突出している。指３が突出している部分を押すとき指検出スイッチ２２の接点が短絡する。
【００４２】
図２（ｂ）は測定台の構造を示す模式平面図である。図３（ａ）は測定台の構造を示す模式側断面図であり、図２（ａ）のＡ−Ａ’線に沿う断面側から見た図である。図２（ｂ）及び図３（ａ）に示すように、凹部５は指３の腹と向かい合うように設置され、指３の腹で凹部５を塞ぐことができる。凹部５の深さは凹部５の底面に指３が触れない深さとなっている。凹部５の底面には受光部２５が設置されているので指３は受光部２５に接触しない。これにより、指３の表面に付着する汗や油脂が受光部２５に付着することを抑制することができる。同様に、投光部２４は＋Ｘ方向を向く面に設置されているので、指３は投光部２４に接触しない。これにより、指３の表面に付着する汗や油脂が投光部２４に付着することを抑制することができる。従って、投光部２４及び受光部２５が汚れ難い構造になっている。
【００４３】
凹部５の幅は３ｍｍ〜５ｍｍが好ましい。凹部５の幅は３．５ｍｍ〜４．５ｍｍがさらに好ましい。そして、凹部５の深さは３ｍｍ〜５ｍｍが好ましい。このとき、第１面４ａ及び第２面４ｂを押圧する指３が凹部５に向かって突出しても、指３を凹部５の底面に接触しないようにすることができる。
【００４４】
第１面４ａと第２面４ｂとがなす角度は１５度〜５０度が好ましい。第１面４ａと第２面４ｂとがなす角度は２５度〜３５度がさらに好ましく、３０度がさらに好ましい。第１面４ａと第２面４ｂとがなす角度が上記の角度のとき、第１面４ａと第２面４ｂとが交差する場所に設置された凹部５を指３で覆って密閉することができる。そして、第１光ファイバー９から＋Ｘ方向に進行する光２６が指３の腹側を照射することができる。
【００４５】
図３（ｂ）は測定するときの指の状態を説明するための模式側断面図であり、図３（ａ）の一部を拡大した図である。図３（ｂ）に示すように、測定時には測定台２の第１面４ａ及び第２面４ｂに合わせて指３が設置される。そして、凹部５は指３により密閉される。減圧装置２１が駆動され、凹部５内の空気が吸引される。凹部５内の気圧が低下し、指３表面の汗や水分が気化する。そして、空気中の水分の一部が除去される。
【００４６】
投光部２４から近赤外光としての光２６が投光される。光２６には可視光、近赤外光、赤外光が含まれる。そして、光２６のうち赤外光が血液成分の測定に用いられる。投光された光２６は凹部５の内部を通過して指３を照射する。光２６は指３の表面に近い場所で乱反射する。指３には毛細血管が多く存在する。指３を照射した光のうち特定の波長の光は血管に吸収される。指３で吸収される光２６の波長は血管内の血液の成分に対応して変化する。そして、指３で反射した光の一部は凹部５の内部を通過して受光部２５を照射し、受光部２５は指３で乱反射した光２６を受光する。受光部２５が受光する光２６は血液成分の情報を含んだ光２６となっている。
【００４７】
光２６が照射される指３に血液が多い程、血管に吸収される特定の波長の光２６の強度が大きくなる。そして、指３で反射した光２６は血液成分の情報を多く含んだ光２６となる。測定台２には第１面４ａと第２面４ｂとに渡って凹部５が設置されている。そして、凹部５では指３を吸引するので、指３では血管が拡張する。これにより、指３において凹部５に近い測定領域２７では血管内の血液を多くすることができる。従って、受光部２５は血液成分の情報を多く含んだ光２６を受光することができる。
【００４８】
投光部２４と指３との間には気体が存在し、受光部２５と指３との間にも気体が存在する。この気体が光２６を吸収するとき、血液情報の検出値に誤差が生ずる。本生体情報取得装置１では制御装置１２及び減圧装置２１が凹部５における気体の成分を制御して、気体が光２６を吸収し難くしている。その結果、精度良く指３の血液情報を検出することができる。
【００４９】
次に上述した生体情報取得装置１を用いた生体情報取得方法について図４、図１及び図３（ｂ）を用いて説明する。図４は、生体情報取得方法のフローチャートである。図４のフローチャートにおいて、ステップＳ１は被測定物設置工程に相当する。測定台２の設置面４に指３を設置する工程である。次にステップＳ２に移行する。ステップＳ２は減圧工程である。この工程は、凹部５内の空気を吸引して減圧する工程である。次にステップＳ３に移行する。ステップＳ３は分光分析工程である。この工程は、指３の血管に光２６を照射し反射した光２６を分析して血糖値を測定する工程である。以上の工程により生体情報を取得する工程が終了する。
【００５０】
次に、図１及び図３（ｂ）を用いて、図４に示したステップと対応させて、生体情報取得方法を詳細に説明する。図１に示すように、ステップＳ１の被測定物設置工程では操作者が入力部１７を用いて生体情報取得装置１を起動する指令を入力する。演算部１６は指令を受けて駆動回路２１ｃに真空ポンプ２１ａを駆動する指示信号を出力する。そして、駆動回路２１ｃが真空ポンプ２１ａを駆動してタンク２１ｂ内の気圧を減圧する。そして、演算部１６は圧力調整弁２１ｅを駆動して圧力調整弁２１ｅが調整する圧力の値を設定する。
【００５１】
次に、測定台２の設置面４に指３が設置される。そして、指３が凹部５を密閉する。このとき、指３が指検出スイッチ２２を押すので、指検出スイッチ２２は指３が設置されたことを検出する。指検出スイッチ２２は指３が設置面４に設置されたことを示す信号を制御装置１２に出力する。次に、ステップＳ２に移行する。
【００５２】
ステップＳ２の減圧工程では、演算部１６が電磁弁２１ｄを駆動して弁を開く。これにより、凹部５内の空気が減圧装置２１に吸引される。このとき、指３の表面の水分、空気中の水分、炭酸ガスの一部が空気と共に吸引される。換言すれば、空気中の水分、炭酸ガス等の成分が制御される。次に、ステップＳ３に移行する。
【００５３】
ステップＳ３の分光分析工程では、演算部１６が光源部１０を駆動させて第１光ファイバー９に光２６を出力させる。図３（ｂ）に示すように、光２６は第１光ファイバー９を通過して測定台２の投光部２４から指３に光２６を照射する。指３に照射された光２６は指３の内部の浅い測定領域２７で乱反射する。指３には毛細血管が多い。そして、光２６の一部は毛細血管の血液に吸収される。このとき、所定の波長の光２６が血液に吸収される光２６の強度は血液の成分濃度と相関がある。
【００５４】
指３の内部で乱反射した光２６の一部は受光部２５から第２光ファイバー１１に入力する。図１に戻って、光２６は第２光ファイバー１１を通過し分光光度計部１３に出力される。分光光度計部１３は光を分光して光スペクトルのデータを演算部１６に出力する。演算部１６は光スペクトルのデータと記憶部１５に記憶されている光源部１０の光スペクトルデータとを比較する。そして、演算部１６は血液により吸収された光２６の波長と強度を推定する。そして、演算部１６は所定の波長における光吸収量と血中成分との関係を示す表を用いて血中成分を推定する。本実施形態では例えば、波長が９２０ｎｍ及び９８８ｎｍの場所の光強度から血中のグルコース濃度を推定する。次に、演算部１６は検出した光スペクトルデータと血液中のグルコース濃度とを表示部１８に表示する。
【００５５】
上述したように、本実施形態によれば、以下の効果を有する。
（１）本実施形態によれば、投光部２４と指３との間には空気が存在し、受光部２５と指３との間にも空気が存在する。この空気が近赤外光を吸収するとき、血液情報の検出値に誤差が生ずる。生体情報取得装置１では減圧装置２１が凹部５における空気を吸引して空気の成分を制御する為、精度良く指３の血液情報を検出することができる。
【００５６】
（２）本実施形態によれば、減圧装置２１は凹部５の気圧を減圧する。これにより、指３の表面の発汗成分が気化し除去される。さらに、凹部５内の水蒸気や炭酸ガスの一部が除去される。これにより、水蒸気や炭酸ガスによる近赤外光の吸収が抑制される為、精度良く指３の血液情報を得ることができる。
【００５７】
（３）本実施形態によれば、生体情報取得装置１は指検出スイッチ２２を備え、指検出スイッチ２２は設置面４に指３が設置されたか否かを検出する。そして、指検出スイッチ２２が設置面４に指３が設置されたことを検出したときに減圧装置２１が凹部５内を減圧する。指検出スイッチ２２がないときには操作者が設置面４に指３が設置されたか否かを検出する。そして、設置面４に指３が設置されたときには、操作者が入力部１７を操作して凹部５内を減圧する指示を行う。本実施形態では操作者の介在なしに減圧装置２１が凹部５内の減圧を開始する為、生産性良く生体情報の取得を行うことができる。
【００５８】
（４）本実施形態によれば、減圧装置２１が凹部５内を負圧にする。指３が設置面４に設置されるとき指３が設置面４を押圧する力は変動する。本実施形態では指３を設置面４に押し付けても測定する部分は凹部５にあるために、力が加わらない。そして、減圧装置２１が凹部５内を所定の圧力に減圧する為、指３の測定部分に加わる圧力の変動が抑制される。従って、測定を安定して行うことができる。
【００５９】
（第２の実施形態）
次に、生体情報取得装置の一実施形態について図５の測定台の構造を示す模式側断面図を用いて説明する。本実施形態が第１の実施形態と異なるところは、凹部５が第１凹部と第２凹部とに分離している点にある。尚、第１の実施形態と同じ点については説明を省略する。
【００６０】
すなわち、本実施形態では図５に示すように生体情報取得装置３０は測定台３１を備えている。測定台３１には指３を設置する設置面４が設置され、設置面４には第１面４ａと第１面４ａに交差する第２面４ｂとが設置されている。そして、第２面４ｂには第１凹部３２が設置され、第１凹部３２には第１孔３３が設置されている。第１孔３３には第１光ファイバー９が挿入されている。第１光ファイバー９の端面は第１凹部３２にて露出し、指３に向けて光２６を射出する投光部２４になっている。
【００６１】
第１面４ａには第２凹部３４が設置され、第２凹部３４には第２孔３５が設置されている。第２孔３５には第２光ファイバー１１が挿入されている。第２光ファイバー１１の端面は第２凹部３４にて露出し、指３にて反射した光２６を入力する受光部２５になっている。投光部２４の表面と垂直な方向と受光部２５の表面と垂直な方向とがなす角度は３０度から７０度の間の角度になっている。そして、投光部２４と受光部２５との距離が第１の実施形態のときに比べて離して設置されている。これにより、受光部２５には指３の表面より深い場所で乱反射した光２６を受光部２５に入力させることができる。
【００６２】
測定台３１には第１凹部３２及び第２凹部３４に連通する第３孔３６が設置され、第３孔３６には配管２３が接続されている。そして、指３が設置面４に設置されるとき、指３は第１凹部３２及び第２凹部３４を塞ぐ。そして、減圧装置２１が第１凹部３２及び第２凹部３４内を減圧する。従って、光２６が第１凹部３２及び第２凹部３４を通過するとき、第１凹部３２及び第２凹部３４内の空気により光２６の光量が減衰することを抑制することができる。
【００６３】
上述したように、本実施形態によれば、以下の効果を有する。
（１）本実施形態によれば、第１凹部３２と第２凹部３４とが分かれているので、投光部２４と受光部２５とを離して設置することができる。これにより、生体情報取得装置３０は指３の深い場所で血液の吸光状態を検出することができる。そして、第１凹部３２と第２凹部３４とが分離していないときに比べて、凹部の体積を小さくできる。従って、減圧装置２１が減圧するとき凹部内体積が小さいので、第１凹部３２及び第２凹部３４内を短時間で減圧することができる。
【００６４】
（第３の実施形態）
次に、生体情報取得装置の一実施形態について図６〜図８を用いて説明する。図６は、生体情報取得装置の構成を示すブロック図である。図７は、測定台の構造を示す模式側断面図であり、図８は、生体情報取得方法のフローチャートである。本実施形態が第１の実施形態と異なるところは、凹部５に気体を流入する気体供給装置４４が設置されている点にある。尚、第１の実施形態と同じ点については説明を省略する。
【００６５】
すなわち、本実施形態では図６に示すように、生体情報取得装置４０は測定台４１を備え、測定台４１は設置面４に凹部５を備えている。測定台４１には凹部５と連通する第４孔４２が設置されている。第４孔４２は配管４３を介して気体制御部及び気体流入部としての気体供給装置４４と接続されている。気体供給装置４４はガスボンベ４５及び電磁弁４６を備えている。ガスボンベ４５は電磁弁４６と接続され、電磁弁４６はガスボンベ４５及び配管４３と接続されている。さらに、電磁弁４６は配線により電気的に制御装置１２と接続されている。
【００６６】
ガスボンベ４５には圧縮された気体が充填されている。この気体は近赤外光を吸収し難い気体であれば良く特に限定されない。本実施形態では、例えば、気体に窒素ガスを用いている。そして、演算部１６の指示信号により電磁弁４６は弁を開閉し、凹部５への気体の供給を制御する。ガスボンベ４５から凹部５へ供給される気体を以下供給気体と称す。気体供給装置４４から凹部５に供給される供給気体は除湿された気体であり、供給気体の露点は−７０℃以上−５０℃以下になっている。従って、凹部５内で水蒸気が凝結することを抑制することができる。従って、気体中の水蒸気が水の状態になって近赤外光を吸収することを抑制することができる。
【００６７】
気体供給装置４４から凹部５に供給される供給気体に含まれる炭酸ガスの濃度が０．１体積ｐｐｍ以上１０体積ｐｐｍ以下になっている。炭酸ガスの濃度が０．１体積ｐｐｍ以上の気体は容易に製造することができるので、入手し易い気体を用いることができる。気体供給装置４４が凹部５に流入させる気体に含まれる炭酸ガスの濃度は１０体積ｐｐｍ以下である。従って、供給気体に含まれる炭酸ガスにより近赤外光が吸収されることを抑制することができる。
【００６８】
図７に示すように、凹部５には供給口４２ａが設置され、供給口４２ａは第４孔４２と接続する。第４孔４２は配管４３を介して気体供給装置４４と接続されている。そして、気体供給装置４４が供給する供給気体が供給口４２ａから凹部５に流入する。凹部５には吸引口８ａも設置されている。供給口４２ａから供給気体を流入させて吸引口８ａから吸引することにより凹部５内の空気を供給気体と入れ替えることができる。
【００６９】
次に上述した生体情報取得装置４０を用いた生体情報取得方法について図８を用いて説明する。図８のフローチャートに示すように、ステップＳ１の被測定物設置工程が行われる。ステップＳ１は第１の実施形態と同じ工程であり説明を省略する。次にステップＳ１２に移行する。ステップＳ１２はガス入替、減圧工程である。この工程は、凹部５内の空気を供給気体と入れ替えて、さらに、減圧する工程である。次にステップＳ３に移行する。ステップＳ３は分光分析工程である。ステップＳ３は第１の実施形態と同じ工程であり説明を省略する。以上の工程により生体情報を取得する工程が終了する。
【００７０】
ステップＳ１２のガス入替、減圧工程では、演算部１６が駆動回路２１ｃに電磁弁２１ｄを駆動させて弁を開く。これにより、凹部５内の空気が減圧装置２１に吸引される。このとき、指３の表面の水分、空気中の水分、炭酸ガスの一部が空気と共に吸引される。次に、演算部１６が電磁弁４６を駆動して弁を開く。これにより、ガスボンベ４５内の供給気体が凹部５に流入される。これにより、凹部５内の空気が押し出され、供給気体が凹部５に充填される。そして、所定の時間が経過したとき電磁弁４６を駆動して弁を閉じる。さらに、所定の時間が経過した後で駆動回路２１ｃに電磁弁２１ｄを駆動させて弁を閉じる。これにより、凹部５内の気圧が減圧される。換言すれば、凹部５内の空気中の水分、炭酸ガス等の成分が減少するように気体の成分が制御される。次に、ステップＳ３に移行する。ステップＳ３が終了したとき生体情報を取得する工程が終了する。
【００７１】
上述したように、本実施形態によれば、以下の効果を有する。
（１）本実施形態によれば、気体供給装置４４は凹部５に供給気体を流入する。これにより、凹部５内を近赤外光を吸収し難い供給気体で満たすことができる。従って、凹部５を通過するとき特定の波長の近赤外光が減衰することを抑制することができる。
【００７２】
（２）本実施形態によれば、気体供給装置４４が凹部５に流入させる供給気体の露点は−７０℃以上−５０℃以下である。従って、水蒸気が凝結することを抑制することができる。従って、供給気体中の水蒸気が水になって近赤外光を吸収することを抑制することができる。
【００７３】
（３）本実施形態によれば、気体供給装置４４が凹部５に流入させる供給気体に含まれる炭酸ガスの濃度が０．１体積ｐｐｍ以上である。炭酸ガスの濃度が０．１体積ｐｐｍ以上の気体は容易に製造することができるので、入手し易い気体を用いることができる。気体供給装置４４が凹部５に流入させる供給気体に含まれる炭酸ガスの濃度が１０体積ｐｐｍ以下である。従って、供給気体に含まれる炭酸ガスにより近赤外光が吸収されることを抑制することができる。
【００７４】
（第４の実施形態）
次に、生体情報取得装置の一実施形態について図９の測定台の構造を示す模式側断面図を用いて説明する。本実施形態が第３の実施形態と異なるところは、第２の実施形態と同様に凹部５が第１凹部と第２凹部とに分離している点にある。尚、第１の実施形態〜第３の実施形態と同じ点については説明を省略する。
【００７５】
すなわち、本実施形態では図９に示すように生体情報取得装置４９は測定台５０を備えている。測定台５０には指３を設置する設置面４が設置され、設置面４は第１面４ａ及び第２面４ｂを有している。第２面４ｂには第１凹部３２が設置され、第１凹部３２には第１孔３３が設置されている。第１孔３３には第１光ファイバー９が挿入されている。第１光ファイバー９の端面は第１凹部３２にて露出し、指３に向けて光２６を射出する投光部２４になっている。
【００７６】
第１面４ａには第２凹部３４が設置され、第２凹部３４には第２孔３５が設置されている。第２孔３５には第２光ファイバー１１が挿入されている。第２光ファイバー１１の端面は第２凹部３４にて露出し、指３にて反射した光２６を入力する受光部２５になっている。投光部２４と受光部２５との相対位置は第２の実施形態と同様になっている。
【００７７】
測定台５０には第１凹部３２及び第２凹部３４に連通する第３孔３６が設置され、第３孔３６には配管２３が接続されている。そして、配管２３は減圧装置２１と接続されている。
【００７８】
測定台５０には第１凹部３２に連通する第４孔５１が設置され、第４孔５１には配管４３が接続されている。さらに、測定台５０には第２凹部３４に連通する第５孔５２が設置され、第５孔５２には配管４３が接続されている。そして、配管４３は気体供給装置４４と接続されている。これにより、気体供給装置４４は第１凹部３２及び第２凹部３４に気体を供給することができる。
【００７９】
指３が設置面４に設置されるとき、指３は第１凹部３２及び第２凹部３４を塞ぐ。そして、第３の実施形態のステップＳ１２のガス入替、減圧工程と同様に、気体供給装置４４が第１凹部３２及び第２凹部３４内に供給気体を供給する。そして、減圧装置２１が第１凹部３２及び第２凹部３４内を減圧する。これにより、光２６が第１凹部３２及び第２凹部３４を通過するとき空気により光量が減衰することを抑制することができる。さらに、投光部２４と受光部２５とが離れているので、生体情報取得装置４９は指３の深い場所で血液の吸光状態を検出することができる。そして、第１凹部３２と第２凹部３４とが分離していないときに比べて、凹部の体積を小さくできる。従って、凹部内の体積が小さいので減圧装置２１及び気体供給装置４４は短時間で供給気体を入れ替えて、さらに、減圧することができる。
【００８０】
（第５の実施形態）
次に、生体情報取得装置の一実施形態について図１０を用いて説明する。図１０（ａ）〜（ｃ）は、測定台の構造を示す模式側断面図であり、図１０（ｄ）は、測定台の構造を示す模式平面図である。本実施形態が第１の実施形態と異なるところは、指３を測定する場所や第１光ファイバー９及び第２光ファイバー１１の配置が異なる点になる。尚、第１の実施形態と同じ点については説明を省略する。
【００８１】
すなわち、本実施形態では図１０（ａ）に示すように、生体情報取得装置５６は測定台５７を備えている。測定台５７には第１面４ａと第１面４ａに交差する第２面４ｂとが設置されている。そして、第１面４ａには指３の腹と向かい合う場所に凹部５８が設置されている。凹部５８の底面には第１孔５７ａ、第２孔５７ｂ及び第３孔５７ｃが設置されている。
【００８２】
第１孔５７ａには第１光ファイバー９が挿入され、第１光ファイバー９の先端が投光部２４になっている。第２孔５７ｂには第２光ファイバー１１が挿入され、第２光ファイバー１１の先端が受光部２５になっている。第３孔５７ｃには配管２３を介して減圧装置２１が接続されている。
【００８３】
投光部２４と受光部２５とは指３の幅方向５９に並んで設置されている。指３の幅方向５９は指３の背中と腹とを結ぶ方向と直交する方向である。指３を測定台５７に押圧するとき測定領域２７は負圧になるので血液を滞留させることができる。このとき、指３の腹側で負圧になっている測定領域２７に投光部２４から光２６を照射することができる。そして、指３の測定領域２７で乱反射した光２６を受光部２５が効率良く受光することができる。さらに、凹部５８内が減圧される為、凹部５８内の空気に含まれる水分や炭酸ガスにより特定の波長の近赤外光が吸収されることを抑制することができる。
【００８４】
図１０（ｂ）に示すように、生体情報取得装置６０は測定台６１を備えている。測定台６１には第１面４ａと第１面４ａに交差する第２面４ｂとが設置されている。そして、第１面４ａには指３の腹と向かい合うように凹部６２が設置されている。凹部６２の底面には第１孔６１ａ、第２孔６１ｂ及び第３孔６１ｃが設置されている。
【００８５】
第１孔６１ａには第１光ファイバー９が挿入され、第１光ファイバー９の先端が投光部２４になっている。第２孔６１ｂには第２光ファイバー１１が挿入され、第２光ファイバー１１の先端が受光部２５になっている。第３孔６１ｃには配管２３を介して減圧装置２１が接続されている。
【００８６】
投光部２４と受光部２５とは指３の幅方向５９に並んで設置されている。そして、指３の腹側で圧力が小さい測定領域２７に投光部２４から光２６を投光する。さらに、第１光ファイバー９と第２光ファイバー１１とは所定の角度で交差するように配置されている。これにより、投光部２４からは受光部２５側に向けて光２６が投光され、指３の内部で光２６が乱反射する測定領域２７を受光部２５に近づけることができる。従って、指３の測定領域２７で乱反射した光２６を効率良く受光部２５に入力させることができる。さらに、凹部６２内が減圧される為、凹部６２内の空気に含まれる水分や炭酸ガスにより特定の波長の近赤外光が吸収されることを抑制することができる。
【００８７】
図１０（ｃ）に示すように、生体情報取得装置６３は測定台６４を備えている。測定台６４には第１面４ａと第１面４ａに交差する第２面４ｂとが設置されている。そして、第１面４ａには指３の腹と向かい合う場所に凹部６５が設置されている。凹部６５の底面には第１孔６４ａ、第２孔６４ｂ及び第３孔６４ｃが設置されている。
【００８８】
第１孔６４ａには第１光ファイバー９が挿入され、第１光ファイバー９の先端が投光部２４になっている。第２孔６４ｂには第２光ファイバー１１が挿入され、第２光ファイバー１１の先端が受光部２５になっている。第３孔６４ｃには配管２３を介して減圧装置２１が接続されている。
【００８９】
投光部２４と受光部２５とは指３の長手方向に並んで設置されている。そして、指３の腹側で減圧されている測定領域２７に投光部２４から光２６を投光する。これにより、投光部２４から測定領域２７に向けて光２６が投光され、指３の測定領域２７で乱反射した光２６を受光部２５が受光することができる。従って、指３の測定領域２７で乱反射した光２６を受光部２５が受光することができる。さらに、凹部６５内が減圧される為、凹部６５内の空気に含まれる水分や炭酸ガスにより特定の波長の近赤外光が吸収されることを抑制することができる。
【００９０】
図１０（ｄ）に示すように、生体情報取得装置６６は測定台６７を備えている。測定台６７には指３の側面と向かい合って接触するように設置面６８が設置され、設置面６８には指３の長手方向に延在する凹部６９が設置されている。凹部６９の底面には第１孔６７ａ、第２孔６７ｂ及び第３孔６７ｃが設置されている。凹部６９の底面は指３の側面と対向する面となっている。
【００９１】
第１孔６７ａには第１光ファイバー９が挿入され、第１光ファイバー９の先端が投光部２４になっている。第２孔６７ｂには第２光ファイバー１１が挿入され、第２光ファイバー１１の先端が受光部２５になっている。投光部２４と受光部２５とは指３の長手方向に並んで設置されている。第３孔６７ｃには配管２３を介して減圧装置２１が接続されている。
【００９２】
測定台６７において指３を挟んで設置面６８の反対側には可動板７０が設置されている。可動板７０は指３の長手方向に長く延在する板状の部材である。可動板７０において指３の反対側にはコイルばね７１が設置されている。コイルばね７１が可動板７０を付勢し、可動板７０が指３を設置面６８に押圧する。従って、指３は設置面６８に押圧される。
【００９３】
指３を設置面６８に押圧するとき凹部６９と向かい合う測定領域２７は減圧されるので、測定領域２７に血液を滞留させることができる。そして、指３の側面で減圧された測定領域２７に投光部２４から光２６を照射する。そして、指３の側面の測定領域２７で乱反射した光２６を受光部２５が効率良く受光することができる。さらに、凹部６９内が減圧される為、凹部６９内の空気に含まれる水分や炭酸ガスにより特定の波長の近赤外光が吸収されることを抑制することができる。
【００９４】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態では、第１光ファイバー９を用いて光２６を投光部２４に導光した。光源部１０から直接投光部２４に光２６を出力しても良い。第１光ファイバー９を削減できるので生産性良く生体情報取得装置１を製造することができる。
【００９５】
（変形例２）
前記第１の実施形態では、第２光ファイバー１１を用いて光２６を分光光度計部１３に導光した。受光部２５に分光光度計部１３を設置しても良い。第２光ファイバー１１を削減できるので生産性良く生体情報取得装置１を製造することができる。
【００９６】
（変形例３）
前記第１の実施形態では、減圧装置２１がタンク２１ｂを備えていた。減圧装置２１が吸引するとき脈流になっても良いときにはタンク２１ｂを省略してもよい。さらに、真空ポンプ２１ａの吸引による圧力低下が凹部５の目標圧力になるときには圧力調整弁２１ｅを省略してもよい。部品数を減らせるので生産性良く生体情報取得装置１を製造することができる。他にも、減圧装置２１にはベンチュリ効果により減圧状態を作り出すアスピレーターを用いても良い。圧縮空気を用いて容易に減圧状態を作り出すことができる。
【００９７】
（変形例４）
前記第１の実施形態では、波長が９２０ｎｍ及び９８８ｎｍの場所の光強度から演算部１６が血中のグルコース濃度を推定した。グルコース濃度を検出するときの波長はこれに限らない。グルコース濃度を推定するとき、１１８１〜１１８９ｎｍ、１５９０ｎｍ、１７５０ｎｍ、１７８０ｎｍ、２１７０〜２３８０ｎｍ、２２７０ｎｍの波長の光をもちいてもよい。グルコース濃度を推定しやすい波長を用いることにより精度よくグルコース濃度を推定することができる。１１８１〜１１８９ｎｍ及び１７５０ｎｍの波長の光では水分とアルコールとの吸光度が同じであり、アルコールの影響を除いてグルコース濃度の変化を推定することができる。さらに、複数の波長における血中のグルコース濃度を推定し、統計処理をすることにより精度を高めても良い。
【００９８】
生体情報取得装置１を用いて血中アルコール濃度の推定を行っても良い。波長が１７１０ｎｍの光はエタノールの吸光度が極大値になる。従って、波長が１７１０ｎｍの光の変化を演算部１６が検出して血中アルコール濃度を推定することができる。
【００９９】
生体情報取得装置１を用いて血中脂質濃度の推定を行っても良い。波長が１６９０ｎｍの光は長鎖アルキル基のＣＨ3の吸光度が極大値になる。波長が１７４０ｎｍ及び２３２０ｎｍの光は長鎖アルキル基のＣＨ2の吸光度が極大値になる。従って、波長が１６９０ｎｍ、１７４０ｎｍ及び２３２０ｎｍの光の変化を演算部１６が検出して血中脂質濃度を推定することができる。このように、検出する光の波長を選択することにより各種の血中成分の濃度を推定することができる。
【０１００】
（変形例５）
前記第３の実施形態では、生体情報取得装置４０が減圧装置２１及び気体供給装置４４を備えていた。生体情報取得装置４０が減圧装置２１を備えずに気体供給装置４４を備える構成にしても良い。気体供給装置４４から凹部５に供給気体を流入して凹部５内の空気を押し出す。これにより、凹部５内を供給気体で満たすことができる。供給気体は近赤外光を吸収し難い気体である為、精度良く血中成分の濃度を推定することができる。
【０１０１】
（変形例６）
前記第５の実施形態では、凹部５８に投光部２４及び受光部２５が設置された。第２の実施形態のように凹部５８を第１凹部と第２凹部とに分けても良い。そして、第１凹部に投光部２４を設置して第２凹部に受光部２５を設置しても良い。このとき、配管２３を介して第１凹部及び第２凹部を減圧装置２１と接続する。そして、第１凹部及び第２凹部内を減圧する。第１凹部と第２凹部とを離しても凹部５８の体積増加を抑制することができる。さらに、第１凹部及び第２凹部を通過するとき近赤外光の光強度が空気により減衰することを抑制することができる。
【０１０２】
さらに、第４の実施形態のように配管４３を介して第１凹部及び第２凹部と気体供給装置４４とを接続しても良い。そして、第１凹部及び第２凹部に供給気体を流入させても良い。これにより、第１凹部及び第２凹部を通過するとき近赤外光の光強度が空気により減衰することを抑制することができる。
【０１０３】
同様に、生体情報取得装置６０の凹部６２、生体情報取得装置６３の凹部６５及び生体情報取得装置６６の凹部６９においても第１凹部と第２凹部とに分けても良い。このとき、配管２３を介して第１凹部及び第２凹部を減圧装置２１と接続する。そして、第１凹部及び第２凹部内を減圧する。さらに、第４の実施形態のように配管４３を介して第１凹部及び第２凹部と気体供給装置４４とを接続しても良い。そして、第１凹部及び第２凹部に供給気体を流入させる。これにより、第１凹部及び第２凹部を通過するとき近赤外光の光強度が空気により減衰することを抑制することができる。尚、変形例１〜４の内容は第２の実施形態〜第５の実施形態及び変形例５にも適用しても良い。
【０１０４】
（変形例７）
前記第５の実施形態では、生体情報取得装置５６において凹部５８が第１面４ａに設置された。凹部５８は第２面４ｂに設置されてもよい。同様に、生体情報取得装置６０の凹部６２、生体情報取得装置６３の凹部６５においも凹部６２、凹部６５は第２面４ｂに設置されてもよい。測定し易い場所に凹部を設置しても良い。
【符号の説明】
【０１０５】
１，３０，４９，５６，６０，６３，６６…生体情報取得装置、２，３１，５０，５７，６１，６４，６７…測定台、３…被測定物としての指、４，６８…設置面、５，５８，６２，６５，６９…凹部、２１…気体制御部及び減圧部としての減圧装置、２２…検出部としての指検出スイッチ、２４…投光部、２５…受光部、２６…近赤外光としての光、３２…第１凹部、３４…第２凹部、４４…気体制御部及び気体流入部としての気体供給装置。
【図１】
2016198415.tif 000003
【図２】
2016198415.tif 000004
【図３】
2016198415.tif 000005
【図４】
2016198415.tif 000006
【図５】
2016198415.tif 000007
【図６】
2016198415.tif 000008
【図７】
2016198415.tif 000009
【図８】
2016198415.tif 000010
【図９】
2016198415.tif 000011
【図１０】
2016198415.tif 000012